(57)【要約】【課題】３値以上に多値化された情報が記録されている位置を精度良く求める。【解決手段】３値以上に多値化された情報とともに、複数の所定の基準マークＣＭをピット列の蛇行の周期Ｔwb1と対応関係を有して形成することにより、蛇行の影響を受けることなく基準マークを精度良く検出することができる。そして、この基準マークを参照することにより、多値化された情報が記録されている位置を精度良く求めることが可能となる。さらに、基準マークとピット列の蛇行の周期とが対応関係を有しているため、ピット列の蛇行形状に対応するウォブル信号を検出する際に、基準マークの影響を容易に低減することが可能となる。【選択図】図１１
2005243097.tif 000002
【特許請求の範囲】
【請求項１】
３値以上に多値化された情報に応じた複数のピットが、スパイラル状又は同心円状にピット列として形成された記録面を有する光ディスクであって、
前記ピット列が周期的に蛇行し、
前記蛇行の周期と対応関係を有する複数の所定の基準マークが、前記ピット列に含まれている光ディスク。
【請求項２】
前記基準マークは、前記蛇行の周期の１／２の周期で含まれていることを特徴とする請求項１に記載の光ディスク。
【請求項３】
前記基準マークは、前記蛇行の周期の整数倍の周期で含まれていることを特徴とする請求項１に記載の光ディスク。
【請求項４】
前記基準マークは、前記蛇行の位相が所定の値となる位置に含まれていることを特徴とする請求項１〜３のいずれか一項に記載の光ディスク。
【請求項５】
前記所定の値は、０度又は１８０度であることを特徴とする請求項４に記載の光ディスク。
【請求項６】
前記情報には、情報の区切りを示す同期マークが所定の周期で含まれており、
前記基準マークは、少なくとも前記同期マーク毎に含まれていることを特徴とする請求項１〜５のいずれか一項に記載の光ディスク。
【請求項７】
前記ピット列は、該ピット列の接線方向の長さが互いに等しい複数の部分領域に仮想的に分割され、
前記基準マークの１周期に含まれる前記部分領域の数は５０〜２６０の整数であることを特徴とする請求項１〜６のいずれか一項に記載の光ディスク。
【請求項８】
前記ピット列は、該ピット列の接線方向の長さが互いに等しい複数の部分領域に仮想的に分割され、
前記蛇行の１周期に含まれる前記部分領域の数は２０〜１６０の整数であることを特徴とする請求項１〜７のいずれか一項に記載の光ディスク。
【請求項９】
前記ピット列は、所定の情報を含む位相変調波部とクロック信号生成用の搬送波部とを有し、
前記位相変調波部は、前記搬送波部と同じ周期で位相変調されていることを特徴とする請求項１〜８のいずれか一項に記載の光ディスク。
【請求項１０】
前記ピット列は、所定の情報を含む位相変調波部とクロック信号生成用の搬送波部とを有し、
前記位相変調波部は、前記搬送波部の２倍の周期で位相変調されていることを特徴とする請求項１〜８のいずれか一項に記載の光ディスク。
【請求項１１】
請求項１〜１０のいずれか一項に記載の光ディスクから情報を再生する際に用いられるクロック信号を生成するクロック信号生成方法であって、
前記光ディスクの記録面からの反射光に基づいて、該光ディスクのピット列に含まれている基準マークを検出する工程と；
前記基準マークに基づいて、クロック信号を生成する工程と；を含むクロック信号生成方法。
【請求項１２】
前記光ディスクの記録面からの反射光に基づいて、前記ピット列の蛇行形状に関する情報を含むウォブル信号を検出する工程を更に含み、
前記クロック信号を生成する工程では、前記ウォブル信号に基づいて擬似的なパルス信号を生成し、該擬似的なパルス信号と前記基準マークとに基づいて、前記クロック信号を生成することを特徴とする請求項１１に記載のクロック信号生成方法。
【請求項１３】
請求項１〜１０のいずれか一項に記載の光ディスクから情報を再生する光ディスク装置であって、
前記光ディスクの記録面からの反射光に基づいて、該光ディスクのピット列に含まれている基準マークを検出し、該基準マークに基づいてクロック信号を生成するクロック信号生成手段と；
前記クロック信号を用いて前記光ディスクに記録されている情報を再生する再生手段と；を備える光ディスク装置。
【請求項１４】
前記光ディスクの記録面からの反射光に基づいて、前記ピット列の蛇行形状に関する情報を含むウォブル信号を検出するウォブル信号検出手段を更に備え、
前記クロック信号生成手段は、前記ウォブル信号に基づいて擬似的なパルス信号を生成し、該擬似的なパルス信号と前記基準マークとに基づいて、前記クロック信号を生成することを特徴とする請求項１３に記載の光ディスク装置。
【発明の詳細な説明】
【技術分野】
【０００１】
本発明は、光ディスク、クロック信号生成方法及び光ディスク装置に係り、更に詳しくは、多値化された情報が記録されている光ディスク、該光ディスクから情報を再生する際に用いられるクロック信号を生成するクロック信号生成方法、及び前記光ディスクから情報を再生する光ディスク装置に関する。
【背景技術】
【０００２】
近年、デジタル技術の進歩及びデータ圧縮技術の向上に伴い、音楽、映画、写真及びコンピュータソフトなどの情報（以下「コンテンツ」ともいう）を記録するための媒体として、ＣＤ−ＲＯＭや、ＣＤ−ＲＯＭの約７倍相当のデータをＣＤ−ＲＯＭと同じ直径のディスクに記録可能としたＤＶＤ−ＲＯＭなどの光ディスクが注目されるようになり、その低価格化とともに、光ディスクに記録されているコンテンツを再生する光ディスク装置が普及するようになった。
【０００３】
ＣＤ−ＲＯＭやＤＶＤ−ＲＯＭなどの再生専用の光ディスクには、その記録面にスパイラル状又は同心円状のピット列が形成されている。そして、ピットの長さ及びピット間の長さと、それらの組み合わせとによって情報が記録されている。この場合には、情報は０と１の２種類の数値（２値）の組み合わせに変換（２値化）されて光ディスクに書き込まれる。以下では、このような記録方式を２値記録方式という。
【０００４】
ところで、前記コンテンツの情報量は、年々増加する傾向にあり、光ディスクに記録可能な情報量の更なる増加が期待されている。光ディスクに記録可能な情報量を増加させる手段の一つとして、情報を３種類以上の数値の組み合わせに変換して光ディスクに書き込むことが考えられ、実用化に向けて関連する各種技術の開発が精力的に行なわれている。そこで、以下では便宜上、情報を３種類以上の数値の組み合わせに変換することを多値化といい、多値化されたデータを多値化データという。また、このように、情報を多値化して記録する記録方式を多値記録方式という。
【０００５】
また、光ディスクでは、隣り合うピット列間の距離が狭いため、記録面に形成される光スポットを目標のピット列（以下「目標ピット列」と略述する）のみに絞り込むことが困難となり、光スポットの一部が目標ピット列に隣接するピット列（以下「隣接ピット列」と略述する）にかかる場合がある。この場合には、隣接ピット列からのクロストーク（不要な信号の漏れ：crosstalk）が発生し、検出された信号は、目標ピット列からの信号に隣接ピット列からの信号が重畳された信号となる。その結果、必要とする信号のＳ／Ｎ比が低下するおそれがある。特に、多値記録方式では、従来の２値記録方式に比べてクロストークの影響が大きいため、再生タイミングがずれるおそれがあった。そこで、多値記録方式においてクロストークの影響を受けにくい情報記録媒体が提案されている（例えば、特許文献１参照）。
【０００６】
しかしながら、特許文献１に開示されている情報記録媒体では、ＣＡＶ（Constant Angular Velocity）方式、ＺＣＡＶ（Zoned CAV）方式及びＺＣＬＶ（Zoned Constant Linear Velocity）方式でセクタが配置されている場合には有効であるが、記録容量を大きくすることができるＣＬＶ（Constant Linear Velocity）方式には対応できないおそれがあった。
【０００７】
【特許文献１】特開２００３−８５７７４号公報
【発明の開示】
【発明が解決しようとする課題】
【０００８】
本発明は、かかる事情の下になされたもので、その第１の目的は、多値化された情報が記録されている位置を精度良く求めることが可能な光ディスクを提供することにある。
【０００９】
また、本発明の第２の目的は、本発明の光ディスクから情報を再生する際に、再生位置の位置決めを精度良く行なうことができるクロック信号生成方法を提供することにある。
【００１０】
また、本発明の第３の目的は、本発明の光ディスクに記録されている情報を安定して再生することができる光ディスク装置を提供することにある。
【課題を解決するための手段】
【００１１】
請求項１に記載の発明は、３値以上に多値化された情報に応じた複数のピットが、スパイラル状又は同心円状にピット列として形成された記録面を有する光ディスクであって、前記ピット列が周期的に蛇行し、前記蛇行の周期と対応関係を有する複数の所定の基準マークが、前記ピット列に含まれている光ディスクである。
【００１２】
これによれば、多値化された情報とともに、複数の所定の基準マークがピット列の蛇行の周期と対応関係を有して形成されているために、蛇行の影響を受けることなく基準マークを精度良く検出することができる。そこで、この基準マークを参照することにより、多値化された情報が記録されている位置を精度良く求めることが可能となる。
【００１３】
この場合において、請求項２に記載の光ディスクの如く、前記基準マークは、前記蛇行の周期の１／２の周期で形成されていることとすることができる。
【００１４】
上記請求項１に記載の光ディスクにおいて、請求項３に記載の光ディスクの如く、前記基準マークは、前記蛇行の周期の整数倍の周期で形成されていることとすることができる。
【００１５】
上記請求項１〜３に記載の各光ディスクにおいて、請求項４に記載の光ディスクの如く、前記基準マークは、前記蛇行の位相が所定の値となる位置に含まれていることとすることができる。
【００１６】
この場合において、請求項５に記載の光ディスクの如く、前記所定の値は、０度又は１８０度であることとすることができる。
【００１７】
上記請求項１〜５に記載の各光ディスクにおいて、請求項６に記載の光ディスクの如く、前記ピット列には、情報の区切りを示す同期マークが所定の周期で記録されており、前記基準マークは、少なくとも前記同期マーク毎に形成されていることとすることができる。
【００１８】
上記請求項１〜６に記載の各光ディスクにおいて、請求項７に記載の光ディスクの如く、前記ピット列は、該ピット列の接線方向の長さが互いに等しい複数の部分領域に仮想的に分割され、前記基準マークの１周期に含まれる前記部分領域の数は５０〜２６０の整数であることとすることができる。
【００１９】
上記請求項１〜７に記載の各光ディスクにおいて、請求項８に記載の光ディスクの如く、前記ピット列は、該ピット列の接線方向の長さが互いに等しい複数の部分領域に仮想的に分割され、前記蛇行の１周期に含まれる前記部分領域の数は２０〜１６０の整数であることとすることができる。
【００２０】
上記請求項１〜８に記載の各光ディスクにおいて、請求項９に記載の光ディスクの如く、前記ピット列は、所定の情報を含む位相変調波部とクロック信号生成用の搬送波部とを有し、前記位相変調波部は、前記搬送波部と同じ周期で位相変調されていることとすることができる。
【００２１】
上記請求項１〜８に記載の各光ディスクにおいて、請求項１０に記載の光ディスクの如く、前記ピット列は、所定の情報を含む位相変調波部とクロック信号生成用の搬送波部とを有し、前記位相変調波部は、前記搬送波部の２倍の周期で位相変調されていることとすることができる。
【００２２】
請求項１１に記載の発明は、請求項１〜１０のいずれか一項に記載の光ディスクから情報を再生する際に用いられるクロック信号を生成するクロック信号生成方法であって、前記光ディスクの記録面からの反射光に基づいて、該光ディスクのピット列に含まれている基準マークを検出する工程と；前記基準マークに基づいて、クロック信号を生成する工程と；を含むクロック信号生成方法である。
【００２３】
これによれば、請求項１〜１０のいずれか一項に記載の光ディスクから情報を再生する際に、光ディスクの記録面からの反射光に基づいて、該光ディスクのピット列に含まれている基準マークが検出され、その基準マークに基づいてクロック信号が生成される。この場合には、基準マークがピット列の蛇行の周期と対応関係を有して形成されているために、蛇行の影響を受けることなく基準マークを精度良く検出することができる。そのため、クロック信号を精度良く生成することができる。すなわち、本発明の光ディスクから情報を再生する際に、再生位置の位置決めを精度良く行なうことが可能となる。
【００２４】
この場合において、請求項１２に記載のクロック信号生成方法の如く、前記光ディスクの記録面からの反射光に基づいて、前記ピット列の蛇行形状に関する情報を含むウォブル信号を検出する工程を更に含み、前記クロック信号を生成する工程では、前記ウォブル信号に基づいて擬似的なパルス信号を生成し、該擬似的なパルス信号と前記基準マークとに基づいて、前記クロック信号を生成することとすることができる。
【００２５】
請求項１４に記載の発明は、請求項１〜１０のいずれか一項に記載の光ディスクから情報を再生する光ディスク装置であって、前記光ディスクの記録面からの反射光に基づいて、該光ディスクのピット列に含まれている基準マークを検出し、該基準マークに基づいてクロック信号を生成するクロック信号生成手段と；前記クロック信号を用いて前記光ディスクに記録されている情報を再生する再生手段と；を備える光ディスク装置である。
【００２６】
これによれば、請求項１〜１０のいずれか一項に記載の光ディスクから情報を再生する際に、クロック信号生成手段により、光ディスクの記録面からの反射光に基づいて該光ディスクのピット列に含まれている基準マークが検出され、その基準マークに基づいてクロック信号が生成される。ここでは、基準マークがピット列の蛇行の周期と対応関係を有して形成されているために、蛇行の影響を受けることなく基準マークが精度良く検出され、それにより、クロック信号が精度良く安定して生成される。その結果、再生手段により安定した情報の再生が行なわれることとなる。すなわち、本発明の光ディスクに記録されている情報を安定して再生することが可能となる。
【００２７】
この場合において、請求項１５に記載の光ディスク装置の如く、前記光ディスクの記録面からの反射光に基づいて、前記ピット列の蛇行形状に関する情報を含むウォブル信号を検出するウォブル信号検出手段を更に備え、前記再生手段は、前記ウォブル信号に基づいて擬似的なパルス信号を生成し、該擬似的なパルス信号と前記基準マークとに基づいて、前記クロック信号を生成することとすることができる。
【発明を実施するための最良の形態】
【００２８】
以下、本発明の一実施形態を図１（Ａ）〜図１７に基づいて説明する。図１（Ａ）及び図１（Ｂ）には、本発明の一実施形態に係る光ディスク１５の記録面が示されている。
【００２９】
この光ディスク１５の記録面には、スパイラル状のピット列が、周期的に蛇行（ウォブリング）して形成されている。
【００３０】
ところで、再生時に形成される光スポットの光強度中心（以下「スポット中心」と略述する）は、ピット列が蛇行していないと仮定したときのピット列のほぼ中央に位置する。従って、図１（Ｂ）に示されるように、スポット中心の軌跡ＯＴＬと、蛇行しているピット列の中央を通る線ＴＣとは一致しない。すなわち、再生時に、スポット中心がピット列の中央位置からずれる場合がある。
【００３１】
ここでは、ピット列の蛇行の周期をウォブル周期（Ｔwblとする）と呼び、隣り合うピット列のＯＴＬ間の距離をピット列ピッチ（ＴＰとする）と呼ぶこととする。さらに、ピット列の蛇行の振幅（Ｗwblとする）を蛇行幅と呼ぶこととする。本実施形態では、一例として、Ｔwbl＝５μｍ、ＴＰ＝０．７４μｍとしている。なお、蛇行幅Ｗwblについては後述する。
【００３２】
ピット列の蛇行形状は、付加される情報（以下「ウォブル情報」ともいう）と搬送波とによって決定される。本実施形態では、搬送波の１周期（ウォブル周期）分の大きさを１ウォブルとしたときに、一例として図２に示されるように、ウォブル情報の部分（以下「ウォブル情報部」という）と搬送波の部分（以下「搬送波部」という）とから構成される基本単位（以下「ウォブルユニット」と呼ぶ）を９３ウォブル（ウォブル番号０〜ウォブル番号９２）とする。そして、１ウォブルユニットにおける、ウォブル番号０〜ウォブル番号７をウォブル情報部、ウォブル番号８〜ウォブル番号９２を搬送波部とする。なお、ウォブル情報部は、内容に応じて位相変調（ＰＳＫ：Phase Shift Keying）されている。
【００３３】
アドレスが割り振られている領域では、ウォブル情報部は同期情報とアドレス情報とから構成される。ここでは、図２に示されるように、ウォブル番号０〜ウォブル番号３が同期情報、ウォブル番号４〜ウォブル番号７がアドレス情報である。
【００３４】
前記アドレス情報は、４ウォブルで１ビットのデータ（以下「ビットデータ」と略述する）を表している。このビットデータが「０」のときは、図３におけるウォブル形状Ｂに示されるように、前方の２ウォブルを搬送波と同位相とし、後方の２ウォブルを搬送波と逆位相とする。一方、前記ビットデータが「１」のときは、図３におけるウォブル形状Ｃに示されるように、前方の２ウォブルを搬送波と逆位相とし、後方の２ウォブルを搬送波と同位相とする。
【００３５】
前記同期情報は、次のウォブルユニットにおけるアドレス情報に、アドレスデータの先頭ビットデータが格納されているときには、図３におけるウォブル形状Ａに示されるように、ワード同期（word sync）情報、すなわち４ウォブル全てを搬送波と逆位相とする。また、アドレス情報にビットデータが格納されているときには、図３におけるウォブル形状Ｂ及びウォブル形状Ｃに示されるように、ビット同期（bit sync）情報、すなわち先頭の１ウォブルを搬送波と逆位相とし、残りの３ウォブルを搬送波と同位相とする。
【００３６】
そこで、例えばアドレスデータとして５１個のビットデータが必要な場合には、図４に示されるように、５２個のウォブルユニットから１つのアドレスデータが得られることとなる。ここで得られるアドレスデータは物理アドレス（絶対アドレス）である。なお、以下では、１物理アドレスに対応するウォブルユニットのまとまりを１ウォブルブロックという。従って、ここでは、１ウォブルブロック＝５２ウォブルユニットである。
【００３７】
また、アドレスデータが不要な領域では、アドレス情報に代えて、ベンダ情報などの光ディスクに関する情報、いわゆるメディアパラメータがウォブル情報として付加される。
【００３８】
この光ディスク１５は、一例として波長が約６６０ｎｍのレーザ光に対応し、多値記録方式によりデータが記録されているものとする。そして、記録データは、一例として８値（０〜７）に多値化されているものとする。また、記録データを変調する際には、２値記録方式と同様に、帯域制限が行なわれているものとする。この帯域制限とは、サーボ信号の周波数付近（５ＫＨｚ以下）の周波数を有する信号が再生信号に発生するのを避けるため、記録データを変調するときにデータ列のパターンを制限することである。
【００３９】
多値記録方式では、一例として図５に示されるように、ピット列は仮想的に、ピット列の接線方向に関して所定の長さ毎に複数の領域（以下「セル」ともいう）に分割される。そして、１つのセルには１つの多値化データが格納される。この多値化データの値が１〜７のときは、その値に対応する面積のピットがセルの中央部に形成される。多値化データの値が０のときは、ピットは形成されない。
【００４０】
隣り合うセルの中心間距離はセル周期（Ｔcellとする）と呼ばれている。ウォブル周期とセル周期との関係は、後述するクロック信号生成回路の構成を簡略化するために、ウォブル周期がセル周期の整数倍となることが好ましい。なお、ウォブル周期がセル周期の０．２５倍や０．５倍などであっても、２〜４ウォブル周期がセル周期の整数倍と合致すれば対応可能である。
【００４１】
前記ピットが形成された部分では、ピットの面積が大きいほどレーザ光の反射率が低下するため、光ディスクの記録面で反射されたレーザ光から生成される再生信号（ＲＦ信号）は、図５に示されるように、多値化データの値が０のときに最大レベル（Ｌ0とする）となり、多値化データの値が７のときに最小レベル（Ｌ7とする）となる。なお、多値化データの値が１〜６のときの信号レベルをＬ1〜Ｌ6とする。
【００４２】
ここで、前記蛇行幅Ｗwblについて説明する。
【００４３】
ウォブル信号の信号品質を示すＣ/Ｎ（キャリア/ノイズ）値の測定結果の一例が図６（Ａ）〜図７に示されている。図６（Ａ）には、２値記録方式で記録された領域から得られたウォブル信号のＣ/Ｎ値が示されている。図６（Ｂ）及び図６（Ｃ）には、８値の多値記録方式で記録されている領域から得られたウォブル信号のＣ/Ｎ値が示されている。ここで、図６（Ｂ）は記録データの変調に際して前記帯域制限を行なわなかった場合であり、図６（Ｃ）は帯域制限を行なった場合である。なお、図６（Ａ）〜図６（Ｃ）では、同一の光ディスクにそれぞれ同じクロック周期で記録が行われている。
【００４４】
これによれば、図７に示されるように、多値記録方式では２値記録方式よりもウォブル信号の品質劣化が少ないという結果が得られた。２値記録方式（例えばＤＶＤ＋ＲＷ）では、３Ｔから１４Ｔ（Ｔはクロック周期）の長さのマーク及びスペースを用いてデータが記録されるため、約５Ｔ以上の長さのマークとスペースが連続すると、再生信号はほぼ最大振幅で変化する。一方、多値記録方式（ここでは、８値）では、再生信号が最大振幅で変化するのは最大レベルＬ0が連続した直後に最小レベルＬ7が連続するか、あるいはその逆の場合に限定される。すなわち、多値記録方式では、再生信号が最大振幅で変化する頻度が２値記録方式よりも少ないため、ウォブル信号への再生信号の漏れ込みが２値記録方式の場合に比べて小さくなり、ウォブル信号の信号品質の劣化が抑制されると考えられる。
【００４５】
そこで、多値記録方式が用いられる光ディスクでは、２値記録方式が用いられる光ディスクよりも、蛇行幅を狭くすることが可能である。例えば２値記録方式が用いられるＤＶＤ＋ＲＷではトラックピッチの±４％程度の蛇行幅が採用されている。そこで、多値記録方式が用いられる光ディスクでは、蛇行幅が、帯域制限を行う場合にはピット列ピッチの±２．４％程度、帯域制限を行わない場合にはピット列ピッチの±３．４％程度であれば、２値記録方式の場合と同程度の品質のウォブル信号を得ることができる。そこで、本実施形態では、ピット列ピッチＴＰが０．７４μｍであり、かつ帯域制限を行うことから、蛇行幅Ｗwblを±１７．８ｎｍとしている。
【００４６】
このように、多値記録方式では、２値記録方式よりも蛇行幅を狭くすることができるため、再生信号に漏れ込むウォブル成分が減少し、ウォブル成分による再生信号の品質劣化を抑制することができる。
【００４７】
次に、光ディスク１５に記録されているデータのデータフォーマットについて説明する。１アドレス（論理アドレス）分のデータのまとまりを１データブロックとすると、本実施形態では、一例として図８に示されるように、１データブロックに３つの基準マークとしてのクロックマーク（以下「ＣＭ」ともいう）が等間隔に挿入される。以下では、ＣＭの挿入間隔をＣＭ周期（Ｔcmkとする）ともいう。また、先頭のＣＭとデータとの間には、情報の区切りを示す同期マークが配置されている。
【００４８】
前記ＣＭは、セルの中心位置を特定するためのマークであり、ここでは、一例として図９に示されるように、「００７００」という多値化データ列が用いられる。すなわち、ＣＭは５セルの大きさを有し、その３セル目を最大面積のピットとし、それ以外のセルではピットなしとする。そこで、このＣＭの再生信号（以下、便宜上「ＣＭ信号」ともいう）は、図９に示されるように、３セル目の中心に対応したボトム値（Ｌ7）を有する「Ｖ字型」信号となる。従って、中央のセルの前後にそれぞれ固定値（ここでは０）が格納されている２つのセルが存在するため、例えば光スポットのスポット径に対してセルの大きさが小さい場合であっても、ＣＭの検出が容易となり、そのボトム値（Ｌ7）を示すタイミングからセルの中心位置を特定することが可能である。
【００４９】
前記同期マークは、一例として図１０に示されるように、「００００７７７７」という多値化データ列が用いられる。この多値化データ列のパターンは、ユーザデータには現われることがないパターンである。この同期マークの再生信号（以下、便宜上「同期信号」ともいう）は、図１０に示されるように、４セル分の最大レベル（Ｌ0）と４セル分の最低レベル（Ｌ7）とから構成される信号となる。従って、同期マークは容易に検出され、例えば情報の開始位置を求めることができる。
【００５０】
ところで、ウォブル信号に付加されている物理アドレスと、ピット列にデータとして記録されている論理アドレスとは、光ディスクにおける絶対位置に対して一意に関連付けがなされていなければならない。この関連付けを確保するには、１データブロックの長さ（以下「データブロック長」ともいう）と１ウォブルブロックの長さ（以下「ウォブルブロック長」ともいう）とが所定の関係にあることが必要となる。例えば、データブロック長とウォブルブロック長とが互いに等しい場合には、物理アドレスと論理アドレスとの関連付けは容易である。また、両ブロック長が互いに同じでなくても、例えば１データブロックに対して２ウォブルブロックが対応している場合には、物理アドレスと論理アドレスとの関連付けは容易である。
【００５１】
また、ＣＭを検出するときには、ウォブル信号がノイズ成分となり、ウォブル信号を検出するときには、ＣＭがノイズ成分となる。
【００５２】
そこで、物理アドレスと論理アドレスとの関連付けを容易とし、かつＣＭ及びウォブル信号がいずれも精度良く検出できるように、ＣＭ周期Ｔcmkとウォブル周期Ｔwblとの関係に規則性をもたせることとした。ここでは、ｍ＝Ｔcmk／Ｔcell、ｎ＝Ｔwbl／Ｔcellとしたときに、ｍとｎとの関係について、図１１を用いて説明する。なお、図１１では、便宜上、ウォブル周期Ｔwblが変化するように示されているが、ここでは、ＣＭ周期Ｔcmkが変化する。
【００５３】
《ｍ＝ｎの場合》
ｍ＝ｎの場合には、蛇行の位相が常に同じとなる位置にＣＭを配置することができる。
【００５４】
図１１のウォブル信号２に示されるように、蛇行の位相が０度の位置にＣＭが配置される場合には、ＣＭ位置でのスポット中心は常にほぼピット列の中央に位置する。これにより、ＣＭを検出する際には、ウォブル信号によるノイズが小さくなり、ＣＭを精度良く検出することができる。また、ウォブル信号を検出する際には、ＣＭによるノイズが小さくなり、ウォブル信号を精度良く検出することができる。なお、蛇行の位相が１８０度の位置にＣＭが配置される場合も同様である。
【００５５】
また、蛇行の位相が９０度もしくは２７０度の位置にＣＭが配置される場合には、スポット中心はピット列の中央からずれることになるが、そのずれ量はほぼ一定である。この場合には、ＣＭを検出する際のウォブル信号によるノイズは小さくはないが、常にほぼ同じノイズレベルとなるため、あらかじめそのノイズレベルを取得しておくことにより、容易にノイズ成分を除去することが可能である。同様に、ウォブル信号を検出する際のＣＭによるノイズは小さくはないが、常にほぼ同じノイズレベルとなるため、あらかじめそのノイズレベルを取得しておくことにより、容易にノイズ成分を除去することが可能である。従って、ＣＭ及びウォブル信号をいずれも精度良く検出することが可能となる。
【００５６】
なお、ＣＭ信号とウォブル信号とが類似するようなパタンの多値化データ列がＣＭとして用いられる場合には、蛇行の位相が９０度もしくは２７０度となる位置にＣＭを配置するのが好ましい。通常ウォブル信号からクロック信号を生成する際には、ウォブル信号の振幅中心のレベルを基準としているため、ＣＭ信号とウォブル信号とが類似しているときに、蛇行の位相が０度もしくは１８０度となる位置にＣＭを配置すると、ＣＭ信号の漏れ込みにより振幅中心のレベルが変動し、クロック信号の精度が低下することがある。しかし、蛇行の位相が９０度もしくは２７０度となる位置にＣＭを配置すると、ＣＭ信号とウォブル信号とが類似しているときであっても、振幅中心のレベル変動を小さくすることができる。
【００５７】
さらに、蛇行の位相が４５度や１３５度の位置にＣＭが配置されても良い。この場合には、前記蛇行の位相が９０度もしくは２７０度の位置にＣＭが配置されて場合と同様に、ノイズ成分の除去を容易に行なうことができるため、ＣＭ及びウォブル信号をいずれも精度良く検出することが可能となる。
【００５８】
《ｍ＝ｎ／２の場合》
ｍ＝ｎ／２の場合には、ウォブル1周期にＣＭが２つ挿入される。この場合も、蛇行の位相が常に同じとなる位置にＣＭを配置することができる。
【００５９】
図１１のウォブル信号１に示されるように、蛇行の位相が０度及び１８０度の位置にＣＭがそれぞれ配置される場合には、ＣＭ位置でのスポット中心は常にほぼピット列の中央に位置する。これにより、ＣＭを検出する際には、ウォブル信号によるノイズが小さくなり、ＣＭを精度良く検出することができる。また、ウォブル信号を検出する際には、ＣＭによるノイズが小さくなり、ウォブル信号を精度良く検出することができる。
【００６０】
なお、この場合には、ＣＭの挿入頻度が高くなり、データの記録容量を確保するためにＣＭの長さを短くする必要があるため、ＣＭ信号とウォブル信号とが類似するようなパタンの多値化データ列がＣＭとして用いられるおそれはなく、蛇行の位相が９０度や２７０度の位置にＣＭを配置するメリットはない。
【００６１】
また、この場合には、ＣＭから得られるクロック信号の周期とウォブル信号から得られるクロック信号の周期とが等しくなるため、後述するクロック信号生成回路では、ＰＬＬ回路の各パラメータを同じとすることが可能となり、制御が容易となる。
【００６２】
《ｍ＝ａ×ｎの場合》
ｍ＝ａ×ｎの場合（ａは整数）には、ウォブルａ周期にＣＭが１つ挿入される。この場合も、蛇行の位相が常に同じとなる位置にＣＭを配置することができる。ａ＝２のときの例が図１１におけるウォブル信号３及び４として示され、ａ＝３のときの例が図１１におけるウォブル信号５として示されている。
【００６３】
図１１のウォブル信号３に示されるように、蛇行の位相が０度の位置の一つにＣＭが配置される場合には、ＣＭ位置でのスポット中心は常にほぼピット列の中央に位置する。これにより、ＣＭを検出する際には、ウォブル信号によるノイズが小さくなり、ＣＭを精度良く検出することができる。また、ウォブル信号を検出する際には、ＣＭによるノイズが小さくなり、ウォブル信号を精度良く検出することができる。なお、蛇行の位相が１８０度の位置の一つにＣＭが配置される場合も同様である。
【００６４】
また、図１１のウォブル信号４に示されるように、蛇行の位相が９０度の位置の一つにＣＭが配置される場合には、スポット中心はピット列の中央からずれることになるが、そのずれ量はほぼ一定である。この場合には、ＣＭを検出する際のウォブル信号によるノイズは小さくはないが、常にほぼ同じノイズレベルとなるため、あらかじめそのノイズレベルを取得しておくことにより、容易にノイズ成分を除去することが可能である。同様に、ウォブル信号を検出する際のＣＭによるノイズは小さくはないが、常にほぼ同じノイズレベルとなるため、あらかじめそのノイズレベルを取得しておくことにより、容易にノイズ成分を除去することが可能である。従って、ＣＭ及びウォブル信号をいずれも精度良く検出することが可能となる。なお、蛇行の位相が２７０度の位置の一つにＣＭが配置される場合も同様である。
【００６５】
さらに、図１１のウォブル信号５に示されるように、蛇行の位相が４５度の位置の一つにＣＭが配置される場合には、スポット中心はピット列の中央からずれることになるが、そのずれ量はほぼ一定である。この場合には、上記蛇行の位相が９０度の位置の一つにＣＭが配置される場合と同様に、ノイズ成分の除去を容易に行なうことができるため、ＣＭ及びウォブル信号をいずれも精度良く検出することが可能となる。なお、蛇行の位相が１３５度、２２５度、及び３１５度の位置の一つにＣＭが配置される場合も同様である。
【００６６】
なお、ＣＭから生成される再生クロック信号及びウォブル信号から生成される基準クロック信号は、それぞれ許容精度内での安定性が求められるので、ａの値には制限がある。そこで、図１２（Ａ）に示されるような仮想的なクロック信号生成回路ＶＣを用い、生成されるクロック信号におけるジッタ（以下「クロックジッタ」ともいう）をシミュレーションにより求めた。このクロック信号生成回路ＶＣは、入力される信号Ｓ１を２値化する２値化回路Ｖ１と、２値化回路Ｖ１で２値化された信号Ｓ２に基づいてクロック信号Ｓ３を生成するＰＬＬ回路Ｖ２と、クロック信号Ｓ３を分周し、ＰＬＬ回路Ｖ２で信号Ｓ２と位相比較される信号とする分周器Ｖ３とから構成されている。なお、ＰＬＬ回路Ｖ２の特性は一般的なものであり、セル周波数は２５ＭＨｚ、交差周波数は約２．６ｋＨｚとした。図１２（Ｂ）には、シミュレーション結果の一例として、信号Ｓ１の信号品質毎に、信号Ｓ２の周期（以下「エッジ周期」ともいう）と、クロック信号Ｓ３におけるクロックジッタとの関係が示されている。
【００６７】
ウォブル信号の品質は、現在市販されている記録可能なＣＤやＤＶＤの場合を参考にすると、４５ｄＢ程度（未記録時）である。また、許容される基準クロック信号のジッタは経験的にセル周期の５％以下であれば良い。そこで、信号Ｓ１をウォブル信号とすると、図１２（Ｂ）から、前記ウォブル信号の品質及びジッタの条件から、信号Ｓ２の周期が８０セル以下であれば良いことがわかる。ウォブル信号の場合には立上がりエッジと立下りエッジとで位相比較することができるので、１６０セルまでウォブル周期を広げることができる。また、多値化データとの帯域分離の観点から、ウォブル周期は、１セル毎にデータが変化する最小繰り返しパタンの周波数の１／１０以下にすることが好ましい。すなわち、ウォブル周期はセル周期の２０倍以上にするのが好ましい。従って、ｎ（＝Ｔwbl／Ｔcell）は２０〜１６０の整数とする。なお、既記録領域では、ウォブル信号の品質は記録の仕方により若干変化する。
【００６８】
ＣＭ信号の品質はウォブル信号よりも高く、５５ｄＢ以上が得られる。また、許容される再生クロック信号のジッタは経験的にセル周期の５％以下であれば良い、そこで、信号Ｓ１をＣＭ信号とすると、図１２（Ｂ）から、前記ＣＭ信号の品質及びジッタの条件から、信号Ｓ２の周期が２６０セル以下であれば良いことがわかる。但し、ＣＭの挿入頻度を高くすると、ＣＭの検出精度は良くなるが、データの情報量が少なくなる。そこで、全体の情報量に占めるＣＭの割合は１０％以内に抑えることが望ましい。従って、ｍ（＝Ｔcmk／Ｔcell）は５０〜２６０の整数とする。そこで、ａの最大値は１３（＝２６０／２０）となる。
【００６９】
すなわち、ｍとｎとの関係については、ｍ＝ｎ、ｍ＝ｎ／２、及びｍ＝ｎ×ａのいずれかが満足されれば良い。
【００７０】
図１３には、本発明の一実施形態に係る光ディスク装置２０の概略構成が示されている。この図１３に示される光ディスク装置２０は、前記光ディスク１５を回転駆動するためのスピンドルモータ２２、光ピックアップ装置２３、該光ピックアップ装置２３をスレッジ方向に駆動するためのシークモータ２１、レーザ制御回路２４、エンコーダ２５、サーボ制御回路２６、再生信号処理回路２８、バッファＲＡＭ３４、バッファマネージャ３７、インターフェース３８、フラッシュメモリ３９、ＣＰＵ４０及びＲＡＭ４１などを備えている。なお、図１３における矢印は、代表的な信号や情報の流れを示すものであり、各ブロックの接続関係の全てを表すものではない。また、光ディスク装置２０は、記録可能な光ディスク（例えば、ＤＶＤ−Ｒ、ＤＶＤ−ＲＷ、ＤＶＤ＋Ｒ、ＤＶＤ＋ＲＷ）にも対応可能である。
【００７１】
前記光ピックアップ装置２３は、光ディスク１５の記録面にレーザ光を照射するとともに、該記録面からの反射光を受光するための装置である。この光ピックアップ装置２３は、一例として図１４（Ａ）に示されるように、光源ユニット５１、カップリングレンズ５２、ビームスプリッタ５４、対物レンズ６０、検出レンズ５８、受光器ＰＤ、Ｉ／Ｖアンプ６２、及び対物レンズ６０を駆動するための駆動系６１などを備えている。
【００７２】
前記光源ユニット５１は、約６６０ｎｍの波長のレーザ光を発光する光源としての半導体レーザＬＤを含んで構成されている。なお、本実施形態では、光源ユニット５１から出射されるレーザ光の最大強度出射方向を＋Ｘ方向とする。この光源ユニット５１の＋Ｘ側には、前記カップリングレンズ５２が配置され、光源ユニット５１から出射された光束を略平行光とする。
【００７３】
前記ビームスプリッタ５４は、カップリングレンズ５２の＋Ｘ側に配置され、カップリングレンズ５２からの光束をそのまま透過させ、かつ光ディスク１５で反射した光束（戻り光束）を−Ｚ方向に分岐する。このビームスプリッタ５４の＋Ｘ側には前記対物レンズ６０が配置され、ビームスプリッタ５４を透過した光束を光ディスク１５の記録面に集光する。
【００７４】
前記検出レンズ５８は、ビームスプリッタ５４の−Ｚ側に配置され、ビームスプリッタ５４で−Ｚ方向に分岐された戻り光束を、前記受光器ＰＤの受光面に集光する。受光器ＰＤの受光面は、一例として図１４（Ｂ）に示されるように、光ディスク１５のピット列の接線方向に対応する方向の分割線（ＤＬ１とする）と、該分割線ＤＬ１に直交する分割線（ＤＬ２とする）とによって、４分割（受光領域Ｄａ、Ｄｂ、Ｄｃ及びＤｄとする）されている。各受光領域はそれぞれ光電変換により受光量に応じた信号を生成する。
【００７５】
前記Ｉ／Ｖアンプ６２は、受光器ＰＤの各受光領域からの信号を電圧信号に変換するとともに、所定のゲインで増幅し、再生信号処理回路２８に出力する。
【００７６】
前記駆動系６１は、対物レンズ６０の光軸方向であるフォーカス方向に対物レンズ６０を微少駆動するためのフォーカシングアクチュエータと、ピット列の接線方向に直交する方向であるトラッキング方向に対物レンズ６０を微少駆動するためのトラッキングアクチュエータとを有している。
【００７７】
図１３に戻り、前記再生信号処理回路２８は、サーボ信号検出回路２８ｂ、ウォブル信号検出回路２８ｃ、ＲＦ信号検出回路２８ｄ、デコーダ２８ｅ、クロック信号生成回路２８ｆ、及び復調回路２８ｇなどから構成されている。
【００７８】
前記サーボ信号検出回路２８ｂは、Ｉ／Ｖアンプ６２の出力信号に基づいてフォーカスエラー信号及びトラックエラー信号などのサーボ信号を検出する。ここで検出されたサーボ信号は前記サーボ制御回路２６に出力される。
【００７９】
前記ＲＦ信号検出回路２８ｄは、Ｉ／Ｖアンプ６２の出力信号に基づいてＲＦ信号を検出する。ここで検出されたＲＦ信号は、クロック信号生成回路２８ｆ及びデコーダ２８ｅに出力される。
【００８０】
前記ウォブル信号検出回路２８ｃは、Ｉ／Ｖアンプ６２の出力信号に基づいてウォブル信号を検出する。ここで検出されたウォブル信号は、クロック信号生成回路２８ｆ、及び復調回路２８ｇに出力される。
【００８１】
前記サーボ信号検出回路２８ｂ、前記ＲＦ信号検出回路２８ｄ、及び前記ウォブル信号検出回路２８ｃを組み合わせた回路の具体例を図１５に示す。この図１５に示される回路は、６つの加算器（２８１〜２８６）、２つの減算器（２８７、２８８）、及び４つのフィルタ（２９１〜２９４）を有している。加算器２８１は、Ｉ／Ｖアンプ６２からの４つの信号（Ｖａ、Ｖｂ、Ｖｃ、及びＶｄ）を加算する。なお、信号Ｖａ、信号Ｖｂ、信号Ｖｃ、信号Ｖｄは、それぞれ受光器ＰＤの受光領域Ｄａ、Ｄｂ、Ｄｃ、Ｄｄの出力信号に対応するＩ／Ｖアンプ６２の出力信号である。この加算器２８１の出力信号は広帯域を有し、ＲＦ信号Ｓrfとしてクロック信号生成回路２８ｆ及びデコーダ２８ｅに出力される。
【００８２】
加算器２８２は信号Ｖａと信号Ｖｄを加算し、加算器２８３は信号Ｖｂと信号Ｖｃを加算する。また、加算器２８４は信号Ｖａと信号Ｖｃを加算し、加算器２８５は信号Ｖｂと信号Ｖｄを加算する。加算器２８６は、加算器２８２の出力信号と加算器２８３の出力信号を加算する。減算器２８７は、加算器２８２の出力信号から加算器２８３の出力信号を減算する。また、減算器２８８は、加算器２８４の出力信号から加算器２８５の出力信号を減算する。
【００８３】
フィルタ２９１は、減算器２８７の出力信号に含まれる低周波成分を除去する。このフィルタ２９１の出力信号は高周波信号であり、ウォブル信号Ｓwbとしてクロック信号生成回路２８ｆ及び復調回路２８ｇに出力される。
【００８４】
フィルタ２９２は、減算器２８７の出力信号に含まれる高周波成分を除去する。このフィルタ２９２の出力信号は低周波信号であり、トラックエラー信号Ｓtrとしてサーボ制御回路２６に出力される。すなわち、いわゆるプッシュプル法によってトラックエラー信号Ｓtrを取得している。
【００８５】
フィルタ２９３は、加算器２８６の出力信号に含まれる高周波成分を除去する。このフィルタ２９３の出力信号は低周波信号であり、トラッククロス信号Ｓtcとしてサーボ制御回路２６に出力される。
【００８６】
フィルタ２９４は、減算器２８８の出力信号に含まれる高周波成分を除去する。このフィルタ２９４の出力信号は低周波信号であり、フォーカスエラー信号Ｓfeとしてサーボ制御回路２６に出力される。すなわち、いわゆる非点収差法によってフォーカスエラー信号Ｓfeを取得している。
【００８７】
前記クロック信号生成回路２８ｆは、ＲＦ信号に基づいて再生クロック信号（Ｒckとする）を生成し、ウォブル信号に基づいて基準クロック信号（Ｗckとする）を生成する。ここではクロック信号生成回路２８ｆは、一例として図１６に示されるように、再生クロック信号Ｒckを生成する再生クロック信号生成回路Ｋrと、基準クロック信号Ｗckを生成する基準クロック信号生成回路Ｋwとを有している。
【００８８】
再生クロック信号生成回路Ｋrは、ＣＭ検出回路ｆ１、ボトム検出回路ｆ２、ＰＬＬ回路ｆ３、及び分周器ｆ４を有している。ＣＭ検出回路ｆ１は、ＲＦ信号を監視しＣＭ信号を検出する。ボトム検出回路ｆ２は、ＣＭ検出回路ｆ１で検出されたＣＭ信号のボトム位置を検出する。従って、ボトム検出回路ｆ２の出力信号は、一例として図１７に示されるように、ＣＭ周期に同期したパルス信号となる。ここでは、ＣＭ周期がセル周期のｍ倍であるため、ＰＬＬ回路ｆ３はボトム検出回路ｆ２の出力信号の周波数をｍ倍にした信号を生成する（図１７参照）。ＰＬＬ回路ｆ３の出力信号は再生クロック信号Ｒckとしてデコーダ２８ｅなどに供給される。なお、ＰＬＬ回路ｆ３の出力信号は、ボトム検出回路ｆ２の出力信号との位相比較を行なうため、分周器ｆ４でｍ分周されたのち、ＰＬＬ回路ｆ３に入力される。これにより、安定した再生クロック信号Ｒckが出力されることとなる。
【００８９】
基準クロック信号生成回路Ｋwは、２値化回路ｆ５、ＰＬＬ回路ｆ６、及び分周器ｆ７を有している。２値化回路ｆ５は、ウォブル信号をその振幅中心レベルを基準として２値化する。ＰＬＬ回路ｆ６は、ウォブル周期がセル周期のｎ倍であるため、２値化回路ｆ５の出力信号の周波数をｎ倍にした信号を生成する。ＰＬＬ回路ｆ６の出力信号は基準クロック信号Ｗckとしてエンコーダ２５及びサーボ制御回路２６などに供給される。なお、ＰＬＬ回路ｆ６の出力信号は、２値化回路ｆ５の出力信号との位相比較を行なうため、分周器ｆ７でｎ分周されたのち、ＰＬＬ回路ｆ６に入力される。これにより、安定した基準クロック信号Ｗckが出力されることとなる。また、分周器ｆ７の出力信号は復調回路２８ｇに供給される。
【００９０】
図１３に戻り、前記デコーダ２８ｅは、前記再生クロック信号Ｒckに同期して前記ＲＦ信号から多値化データを取得し、復号処理及び誤り検出処理などを行い、誤りが検出されたときには誤り訂正処理を行った後、再生データとして前記バッファマネージャ３７を介して前記バッファＲＡＭ３４に格納する。ここでは、再生クロック信号Ｒckによって、セルの中心が精度良く特定されるため、安定して精度良い再生データを得ることができる。なお、ＲＦ信号にはアドレスデータが含まれており、デコーダ２８ｅは、ＲＦ信号から抽出したアドレスデータをＣＰＵ４０に出力する。このアドレスデータは論理アドレスデータである。
【００９１】
前記復調回路２８ｇは、ウォブル信号及び分周器ｆ７の出力信号に基づいて、前記ウォブル情報部を復調し、アドレスデータあるいはメディアパラメータを取得する。ここで得られたアドレスデータ及びメディアパラメータは、ＣＰＵ４０に供給される。
【００９２】
前記サーボ制御回路２６は、ＰＵ制御回路２６ａ、シークモータ制御回路２６ｂ、及びＳＰモータ制御回路２６ｃを有している。
【００９３】
前記ＰＵ制御回路２６ａは、対物レンズ６０のフォーカスずれを補正するために、前記フォーカスエラー信号に基づいてフォーカシングアクチュエータの駆動信号を生成し、光ピックアップ装置２３に出力する。また、ＰＵ制御回路２６ａは、対物レンズ６０のトラッキングずれを補正するために、前記トラックエラー信号に基づいてトラッキングアクチュエータの駆動信号を生成し、光ピックアップ装置２３に出力する。これにより、トラッキング制御及びフォーカス制御が行われる。
【００９４】
前記シークモータ制御回路２６ｂは、ＣＰＵ４０の指示に基づいてシークモータ２１を駆動するための駆動信号を生成し、シークモータ２１に出力する。
【００９５】
前記ＳＰモータ制御回路２６ｃは、ＣＰＵ４０の指示に基づいてスピンドルモータ２２を駆動するための駆動信号を生成し、スピンドルモータ２２に出力する。また前記基準クロック信号に基づいてディスク回転速度を検出し、目標速度と比較してスピンドルモータ２２の回転速度を制御する。
【００９６】
前記バッファＲＡＭ３４には、光ディスク１５から再生したデータ（再生データ）などが一時的に格納される。このバッファＲＡＭ３４へのデータの入出力は、前記バッファマネージャ３７によって管理されている。なお、記録可能な光ディスクがセットされているときには、上位装置９０から送られてきた記録用データはバッファＲＡＭ３４に蓄積される。
【００９７】
前記エンコーダ２５は、記録可能な光ディスクがセットされているときに、ＣＰＵ４０の指示に基づいてバッファＲＡＭ３４に蓄積されている記録用データをバッファマネージャ３７を介して取り出し、データの変調及びエラー訂正コードの付加などを行ない、書き込み信号を生成する。ここで生成された書き込み信号はレーザ制御回路２４に出力される。
【００９８】
前記レーザ制御回路２４は、半導体レーザＬＤから出射されるレーザ光のパワーを制御する。ここでは、光ディスク１５は再生専用であるため、レーザ制御回路２４は、再生パワーに対応する半導体レーザＬＤの駆動信号を生成する。なお、記録可能な光ディスクに記録を行なう場合には、レーザ制御回路２４では、前記書き込み信号、記録条件、及び半導体レーザＬＤの発光特性などに基づいて半導体レーザＬＤの駆動信号を生成する。
【００９９】
前記インターフェース３８は、上位装置９０（例えば、パソコン）との双方向の通信インターフェースであり、ＡＴＡＰＩ（AT Attachment Packet Interface）及びＳＣＳＩ（Small Computer System Interface）などの標準インターフェースに準拠している。
【０１００】
前記フラッシュメモリ３９は、プログラム領域及びデータ領域を含んで構成されている。フラッシュメモリ３９のプログラム領域には、ＣＰＵ４０にて解読可能なコードで記述されたプログラムが格納されている。また、フラッシュメモリ３９のデータ領域には、記録条件、及び半導体レーザＬＤの発光特性などが格納されている。
【０１０１】
前記ＣＰＵ４０は、フラッシュメモリ３９のプログラム領域に格納されている上記プログラムに従って前記各部の動作を制御するとともに、制御に必要なデータなどをＲＡＭ４１及びバッファＲＡＭ３４に保存する。
【０１０２】
以上の説明から明らかなように、本実施形態に係る光ディスク装置２０では、再生クロック信号生成回路Ｋrによってクロック信号生成手段が構成され、デコーダ２８ｅによって再生手段が構成されている。また、ウォブル信号検出回路２８ｃによってウォブル信号検出手段が構成されている。
【０１０３】
そして、再生クロック信号生成回路Ｋrにて、本発明に係る信号生成方法の基準マークを検出する工程と、クロック信号を生成する工程とが実施されている。
【０１０４】
以上説明したように、本実施形態に係る光ディスク１５によると、多値化された情報に、複数のＣＭ（基準マーク）がピット列の蛇行の周期と対応関係を有して含まれているために、蛇行の影響を受けることなくＣＭを精度良く検出することが可能となる。そこで、この基準マークを参照することにより、多値化された情報が記録されている位置を精度良く求めることが可能となる。
【０１０５】
また、スポット中心とピット列の中央位置とがほぼ一致する位置あるいはスポット中心とピット列の中央位置とのずれ量が所定の値となる位置にＣＭが形成されているために、ＣＭ及びウォブル信号をいずれも精度良く検出することが可能となる。
【０１０６】
また、ＣＭ周期に含まれるセル数ｍとウォブル周期に含まれるセル数ｎとの間に、ｍ＝ｎ、ｍ＝ｎ／２、及びｍ＝ｎ×ａのいずれかの関係が満足されているために、ＣＭ及びウォブル信号をいずれも精度良く検出することが可能となる。
【０１０７】
また、ｍが５０〜２６０の整数であるため、記録可能な情報量をあまり低下させることなく、再生クロック信号を精度良く生成することが可能となる。
【０１０８】
また、ｎが２０〜１６０の整数であるため、基準クロック信号を精度良く生成することが可能となる。
【０１０９】
また、ウォブル情報部におけるアドレス情報（位相変調波部）が、搬送波部と同じ周期で位相変調されているために、ウォブル情報を容易に復調することが可能となる。
【０１１０】
さらに、同期マークにＣＭが付加されているために、同期マークを精度良く検出することができ、情報の区切りを容易に明確化することができる。
【０１１１】
また、本実施形態に係る光ディスク装置２０によると、スパイラル状又は同心円状のピット列が周期的に蛇行して形成された記録面を有し、多値化された情報に、複数のＣＭ（基準マーク）が蛇行の周期と対応関係を有して含まれている光ディスク１５を再生する際に、光ディスク１５の記録面からの反射光に基づいてＣＭが検出され、そのＣＭに基づいて再生クロック信号（クロック信号）が生成される。ここでは、ＣＭがピット列の蛇行の周期と対応関係を有して形成されているために、蛇行の影響を受けることなくＣＭが精度良く検出され、それにより、再生クロック信号が精度良く安定して生成される。その結果、光ディスク１５に記録されている情報の再生が安定して行なわれることとなる。すなわち、本発明の光ディスクに記録されている情報を安定して再生することが可能となる。
【０１１２】
なお、上記実施形態のクロック信号生成回路２８ｆにおいて、前記再生クロック信号生成回路Ｋrに代えて、図１８に示される再生クロック信号生成回路Ｋr'を用いても良い。この再生クロック信号生成回路Ｋr'は、ウォブル信号に基づいて擬似的なクロック信号（パルス信号）を生成し、該擬似的なクロック信号とＣＭとに基づいて再生クロック信号を生成する。すなわち、粗同期のクロック引き込みをウォブル信号で行い、精同期のクロック引き込みを再生信号で行うものである。そこで、再生クロック信号生成回路Ｋr'は、前記再生クロック信号生成回路Ｋrに、切換スイッチｆ８と分周器ｆ９と同期検出回路ｆ１０とを付加した構成となっている。
【０１１３】
分周器ｆ９は、基準クロック信号生成回路Ｋwからの基準クロック信号Ｗckをｍ分周する。切換スイッチｆ８は、分周器ｆ９の出力信号とボトム検出回路ｆ２の出力信号の一方を選択し、ＰＬＬ回路ｆ３に出力する。同期検出回路ｆ１０は、ＰＬＬ回路ｆ３の出力信号に基づいて同期状態を検出し、切換スイッチｆ８を制御する。
【０１１４】
ここで、再生クロック信号生成回路Ｋr'の作用について簡単に説明すると、先ず、同期検出回路ｆ１０は切換スイッチｆ８を分周器ｆ９側に設定する。これにより、分周器ｆ９の出力信号がＰＬＬ回路ｆ３に供給され、ＰＬＬ回路ｆ３にて大まかな周波数引き込み、すなわち粗同期が行なわれる。粗同期によって大まかに周波数が合うと、同期検出回路ｆ１０は切換スイッチｆ８をボトム検出回路ｆ２側に設定する。これにより、ボトム検出回路ｆ２の出力信号がＰＬＬ回路ｆ３に供給され、ＰＬＬ回路ｆ３にて正確な周波数引き込み、すなわち精同期が行なわれる。従って、前記再生クロック信号生成回路Ｋrよりも、再生クロック信号を迅速に生成することが可能となる。
【０１１５】
この場合に、ｍがｎの自然数倍のときには、一例として図１９に示されるように、上記再生クロック信号生成回路Ｋr'における分周器ｆ９に代えて、２値化回路ｆ５の出力信号をｍ／ｎ分周する分周器ｆ１１を有する再生クロック信号生成回路Ｋr”を用いても良い。粗同期のときには、切換スイッチｆ８では分周器ｆ１１の出力信号が選択され、精同期のときには、切換スイッチｆ８ではボトム検出回路ｆ２の出力信号が選択される。これにより、例えば基準クロック信号が不要で、基準クロック信号生成回路Ｋwを構成するＰＬＬ回路ｆ６が作動していないときでも、再生クロック信号を迅速に生成することができる。
【０１１６】
また、上記実施形態では、アドレス情報が搬送波と同じ周期で位相変調される場合について説明したが、これに限らず、例えば図２０に示されるように、アドレス情報が搬送波の２倍の周期で位相変調されても良い。この場合に、ＣＭ周期とウォブル周期とを互いに等しくすると、スポット中心とピット列の中央位置とがほぼ一致する位置にＣＭを配置することができる。
【０１１７】
また、上記実施形態では、１データブロックに３つのＣＭが挿入されている場合について説明したが、これに限定されるものではなく、例えば１データブロックに１つのＣＭが挿入されていても良い。
【０１１８】
また、上記実施形態では、データブロックの先頭のＣＭと同期マークとを個別に配置する場合について説明したが、例えば同期マークによってセルの中心を特定することができる場合には、図２１（Ａ）に示されるように、同期マークの前方のＣＭはなくても良い。例えば、図２１（Ｂ）に示されるように、「００７０００７７７」という多値化データ列を同期マークとして用いると、前方の５セルによってセルの中心を特定することができる。
【０１１９】
また、上記実施形態では、同期マークとして「００００７７７７」という多値化データ列が用いられる場合について説明したが、これに限定されるものではない。例えば図２２に示されるように、「００７７７００７７」という多値化データ列を同期マークとして用いても良い。要するに、ユーザデータには現われることがないパターンであれば良い。
【０１２０】
また、上記実施形態では、ＣＭとして「００７００」という多値化データ列が用いられる場合について説明したが、これに限定されるものではない。例えば図２３に示されるように「００７７」という多値化データ列をＣＭとして用いても良い。この場合には、再生信号の振幅中心に基づいてクロック信号が生成される。すなわち、振幅中心を横切るタイミングを検出することによりセル境界のタイミングが得られるため、セル境界で立上がりエッジをもつクロック信号を生成すると、セルの長さが既知であるため、図２３に示されるように、立下りエッジがセルの中心を示すクロック信号を容易に生成することができる。従って、この場合には、上記実施形態における前記再生クロック信号生成回路Ｋrに代えて、図２４に示される再生クロック信号生成回路Ｋrcが用いられることとなる。この再生クロック信号生成回路Ｋrcでは、前記再生クロック信号生成回路Ｋrにおけるボトム検出回路ｆ２に代えて、再生信号の振幅中心を検出する振幅中心検出回路ｆ２'が用いられている。
【０１２１】
また、上記実施形態では、記録データを８値に多値化する場合について説明したが、本発明がこれに限定されるものではない。
【０１２２】
また、上記実施形態では、プッシュプル法によってトラックエラー信号を取得する場合について説明したが、これに限定されるものではなく、例えば位相差法（ＤＰＤ法）を用いても良い。さらに、半導体レーザＬＤから出射される光束を３つのビームに分割し、３スポット法及び差動プッシュプル（ＤＰＰ）法を用いても良い。要するに、トラックエラー信号が品質良く検出されれば良い。なお、光ピックアップ装置２３及び再生信号処理回路２８の構成は検出方式に応じたものとなる。
【０１２３】
また、上記実施形態では、非点収差法によってフォーカスエラー信号を取得する場合について説明したが、これに限定されるものではなく、例えばナイフエッジ法を用いても良い。要するに、フォーカスエラー信号が品質良く検出されれば良い。なお、光ピックアップ装置２３及び再生信号処理回路２８の構成は検出方式に応じたものとなる。
【０１２４】
また、上記実施形態では、受光器ＰＤの受光面が４分割されている場合について説明したが、これに限定されるものではない。要するに、サーボ信号、ＲＦ信号、及びウォブル信号が品質良く検出されれば良い。
【０１２５】
また、上記実施形態では、蛇行幅を±１７．８ｎｍとしているが、帯域制限の方法に応じて変更しても良い。
【０１２６】
また、上記実施形態では、記録データを変調する際に、帯域制限を行う場合について説明したが、これに限らず、帯域制限を行なわなくても良い。この場合には、蛇行幅は±２５．２ｎｍが好ましい。
【０１２７】
また、上記実施形態では、ウォブル周期が５μｍ、ピット列ピッチが０．７４μｍの場合について説明したが、本発明がこれに限定されるものではない。そこで、例えばピット列ピッチが０．４５μｍであれば、帯域制限を行うときの蛇行幅は±１０．８ｎｍ、帯域制限を行わないときの蛇行幅は±１５．３ｎｍが好ましい。また、例えばピット列ピッチが０．３２μｍであれば、帯域制限を行うときの蛇行幅は±７．７ｎｍ、帯域制限を行わないときの蛇行幅は±１０．９ｎｍが好ましい。
【０１２８】
また、上記実施形態では、１ウォブルユニットが９３ウォブルの場合について説明したが、これに限定されるものではない。
【０１２９】
また、上記実施形態では、１ウォブルユニットにおいて、ウォブル番号０〜ウォブル番号７をウォブル情報部、ウォブル番号８〜ウォブル番号９２を搬送波部とする場合について説明したが、これに限定されるものではない。
【０１３０】
また、上記実施形態では、アドレスデータとして５１ビットが必要な場合について説明したが、これに限定されるものではない。この場合には、アドレスデータのビット数に応じて、１ウォブルブロックを構成するウォブルユニットの個数が規定される。
【０１３１】
なお、上記実施形態において、前記再生信号の周期がウォブル信号の周期に近くなる場合には、同期マーク位置では、前記基準クロック信号生成回路ＫwにおけるＰＬＬ回路ｆ６での位相比較を一時的に停止しても良い。
【０１３２】
また、上記実施形態では、受光器ＰＤとＩ／Ｖアンプ６２とが個別に設けられる場合について説明したが、これに限らず、受光器ＰＤとＩ／Ｖアンプ６２とが一体化されても良い。
【０１３３】
また、上記実施形態では、光ディスクが、約６６０ｎｍの波長のレーザ光に対応する場合について説明したが、、これに限定されるものではなく、例えば約７８０ｎｍの波長のレーザ光、及び約４０５ｎｍの波長のレーザ光に対応しても良い。
【０１３４】
また、上記実施形態では、多値化データの値に応じて、ピットの面積が異なる場合について説明したが、これに限らず、多値化データの値に応じて、ピットの深さが異なっても良い。要するに、多値化データの値に応じて、再生信号の信号レベルが異なっていれば良い。
【０１３５】
また、上記実施形態では、光ピックアップ装置が１つの半導体レーザを備える場合について説明したが、これに限らず、例えば互いに異なる波長の光束を発光する複数の半導体レーザを備えていても良い。この場合に、例えば波長が約４０５ｎｍの光束を発光する半導体レーザ、波長が約６６０ｎｍの光束を発光する半導体レーザ及び波長が約７８０ｎｍの光束を発光する半導体レーザの少なくとも１つを含んでいても良い。すなわち、光ディスク装置が互いに異なる規格に準拠した複数種類の光ディスクに対応する光ディスク装置であっても良い。このときには、複数種類の光ディスクのうち少なくとも１種類の光ディスクで多値記録方式が用いられれば良い。
【０１３６】
また、上記実施形態では、光ディスク装置が記録及び再生が可能な光ディスク装置の場合について説明したが、再生専用の光ディスク装置であっても良い。
【図面の簡単な説明】
【０１３７】
【図１】図１（Ａ）及び図１（Ｂ）は、それぞれ本発明の一実施形態に係る光ディスクの記録面を説明するための図である。
【図２】ウォブルユニットを説明するための図である。
【図３】ウォブル情報部の位相変調を説明するための図である。
【図４】ウォブルブロックを説明するための図である。
【図５】セル及びピットを説明するための図である。
【図６】図６（Ａ）〜図６（Ｃ）は、それぞれウォブル信号の信号品質を示す波形図である。
【図７】記録方式によるウォブル信号の信号品質の違いを説明するための図である。
【図８】データブロックの構成を説明するための図である。
【図９】クロックマーク（ＣＭ）を説明するための図である。
【図１０】同期マークを説明するための図である。
【図１１】ウォブル周期とＣＭ周期との関係を説明するための図である。
【図１２】図１２（Ａ）はエッジ周期とクロックジッタとの関係をシミュレーションするために用いた仮想的なクロック信号生成回路を説明するためのブロック図であり、図１２（Ｂ）はシミュレーション結果を説明するための図である。
【図１３】本発明の一実施形態に係る光ディスク装置の構成を示すブロック図である。
【図１４】図１４（Ａ）は図１３における光ピックアップ装置の構成を説明するための図であり、図１４（Ｂ）は図１４（Ａ）における受光器を説明するための図である。
【図１５】図１３におけるサーボ信号検出回路、ウォブル信号検出回路及びＲＦ信号検出回路の具体的な回路構成を説明するための図である。
【図１６】図１３におけるクロック信号生成回路を説明するための図である。
【図１７】図１６の再生クロック信号生成回路の動作を説明するための図である。
【図１８】クロック信号生成回路の変形例（その１）を説明するための図である。
【図１９】クロック信号生成回路の変形例（その２）を説明するための図である。
【図２０】ウォブル情報部における位相変調の変形例を説明するための図である。
【図２１】図２１（Ａ）は同期マークがＣＭ機能を有するときのデータブロックを説明するための図であり、図２１（Ｂ）はそのときの同期マークを説明するための図である。
【図２２】同期マークの変形例を説明するための図である。
【図２３】ＣＭの変形例を説明するための図である。
【図２４】図２３のＣＭが用いられるときのクロック信号生成回路を説明するための図である。
【符号の説明】
【０１３８】
１５…光ディスク、２０…光ディスク装置、２８ｃ…ウォブル信号検出回路（ウォブル信号検出手段）、２８ｅ…デコーダ（再生手段）、ＣＭ…クロックマーク（基準マーク）、Ｋr…再生クロック信号生成回路（クロック信号生成手段）。
【図１】
2005243097.tif 000003
【図２】
2005243097.tif 000004
【図３】
2005243097.tif 000005
【図４】
2005243097.tif 000006
【図５】
2005243097.tif 000007
【図６】
2005243097.tif 000008
【図７】
2005243097.tif 000009
【図８】
2005243097.tif 000010
【図９】
2005243097.tif 000011
【図１０】
2005243097.tif 000012
【図１１】
2005243097.tif 000013
【図１２】
2005243097.tif 000014
【図１３】
2005243097.tif 000015
【図１４】
2005243097.tif 000016
【図１５】
2005243097.tif 000017
【図１６】
2005243097.tif 000018
【図１７】
2005243097.tif 000019
【図１８】
2005243097.tif 000020
【図１９】
2005243097.tif 000021
【図２０】
2005243097.tif 000022
【図２１】
2005243097.tif 000023
【図２２】
2005243097.tif 000024
【図２３】
2005243097.tif 000025
【図２４】
2005243097.tif 000026